(57)【要約】【課題】ユーザ個々のデータに対応した製本印刷を手軽に行う。【解決手段】印刷指示命令を送信する情報処理装置とネットワークを介して接続され、複数種類の画像データが予め蓄積された記憶手段と、印刷指示命令に基づいて画像データを印刷する画像印刷手段とを含む画像形成装置であって、情報処理装置によって複数種類の画像データのそれぞれの内容に関連して付加されたタグ情報を受信する受信手段と、タグ情報と複数種類の画像データとを互いに紐付けて保持する保持手段と、を備え、画像印刷手段は、情報処理装置から送信される印刷指示命令と、印刷指示命令と共に送信されるタグ情報とに基づいて、タグ情報に紐付けられた複数種類の画像データを印刷する。【選択図】図４
2013084172.tif 000002
【特許請求の範囲】
【請求項１】
印刷指示命令を送信する情報処理装置とネットワークを介して接続され、複数種類の画像データが予め蓄積された記憶手段と、前記印刷指示命令に基づいて前記画像データを印刷する画像印刷手段とを含む画像形成装置であって、
前記情報処理装置によって前記複数種類の画像データのそれぞれの内容に関連して付加されたタグ情報を受信する受信手段と、
前記タグ情報と前記複数種類の画像データとを互いに紐付けて保持する保持手段と、を備え、
前記画像印刷手段は、前記情報処理装置から送信される前記印刷指示命令と、前記印刷指示命令と共に送信される前記タグ情報とに基づいて、前記タグ情報に紐付けられた前記複数種類の画像データを印刷することを特徴とする画像形成装置。
【請求項２】
前記タグ情報は、複数存在することを特徴とする請求項１に記載の画像形成装置。
【請求項３】
印刷指示命令を送信する情報処理装置とネットワークを介して接続され、複数種類の画像データが予め蓄積された記憶手段と、前記印刷指示命令に基づいて前記画像データを印刷する画像印刷手段とを含む画像形成装置であって、
前記情報処理装置から前記複数種類の画像データのそれぞれを識別するためのサンプル画像のファイル名を受信する受信手段と、
前記サンプル画像のファイル名に基づいて、前記記憶手段に蓄積されている前記複数種類の画像データを識別する識別手段と、
前記複数種類の画像データの中から前記サンプル画像のファイル名と一致する画像データを選択する選択手段と、
を備え、
前記画像印刷手段は、前記情報処理装置から送信される前記印刷指示命令に基づいて、前記選択手段により選択された前記複数種類の画像データを印刷することを特徴とする画像形成装置。
【請求項４】
前記画像印刷手段は、前記複数種類の画像データの印刷を開始する前に、前記複数種類の画像データのプレビュー画像を、前記情報処理装置に向けてサムネイル表示させることを特徴とする請求項１から３の何れか１項に記載の画像形成装置。
【請求項５】
前記タグ情報は、前記画像データの内容に関連する個人情報であり、前記個人情報は、個人を特定するための情報を含むことを特徴とする請求項１又は２に記載の画像形成装置。
【請求項６】
前記画像印刷手段は、前記印刷指示命令と共に送信される前記タグ情報として、前記個人を特定するための情報が含まれているとき、前記画像データに前記個人を特定するための情報を付加して印刷することを特徴とする請求項５に記載の画像形成装置。
【請求項７】
前記画像印刷手段は、前記タグ情報に紐付けられた前記複数種類の画像データが、特定種類の画像データに偏在しているときは、前記画像データの種類の均一化を図ることを特徴とする請求項１から６の何れか１項に記載の画像形成装置。
【請求項８】
複数種類の画像データが予め格納された記憶手段と、前記画像データを印刷する画像印刷手段とを含む画像形成装置と、前記画像印刷手段に印刷指示命令を送信する情報処理装置と、がネットワークを介して接続された画像形成システムであって、
前記情報処理装置は、
前記記憶手段に格納された前記複数種類の画像データを取得する画像データ取得手段と、
前記取得された前記複数種類の画像データのそれぞれに対して、前記複数種類の画像データのそれぞれの内容に関連する複数のタグ情報を付加するタグ情報付加手段と、
前記複数のタグ情報が付加された前記複数種類の画像データを前記画像形成装置へ送信する送信手段と、を備え、
前記画像形成装置は、
前記複数のタグ情報が付加された前記複数種類の画像データを受信する受信手段と、
前記複数のタグ情報と前記複数種類の画像データとを互いに紐付けて保持する保持手段と、を備え、
前記画像印刷手段は、前記情報処理装置から送信される前記印刷指示命令と、前記印刷指示命令と共に送信される前記複数のタグ情報とに基づいて、前記複数のタグ情報に紐付けられた前記複数種類の画像データを印刷することを特徴とする画像形成システム。
【発明の詳細な説明】
【技術分野】
【０００１】
本発明は、画像形成装置及び画像形成システムに関する。
【背景技術】
【０００２】
複写機、プリンタ、イメージスキャナ、ファクシミリ等の事務機器の機能を１つの筺体に収めたデジタル複合機（画像形成装置）（以下、ＭＦＰ（Multi Function Products）という。）に対して、ユーザが任意の画像を蓄積する仕組み、及び当該蓄積された画像を選択して製本印刷を行う仕組みが既に知られている。
【０００３】
ここで製本印刷とは、通常の集約印刷(１枚の紙に複数ページの印刷情報を割り付けて印刷する機能)を応用した機能であり、各ページに割り付ける印刷情報の順番を制御することにより、全ページを束ね真ん中で折り畳んだ際に週刊誌形式やミニ本形式で印刷を行う機能である。
【０００４】
具体的には、８ページの原稿を週刊誌印刷する場合、１ページ目表側には印刷原稿のページ１とページ８とを、１ページ目裏側にはページ２とページ７とを、２ページ目表側にはページ３とページ６とを、２ページ目裏側にはページ４とページ５とを割り付けて印刷することになる。
【０００５】
ところで、特許文献１には、手軽に写真と文書をレイアウトできる製本システムとして、作製者が、製本パターンに従ったレイアウト例を予め作成しておき、固有の識別番号、写真表示位置を表記したシール、及び写真と共に表記される文章が書き込まれる領域を備えた注文用紙を販売し、注文者が当該レイアウト例に従って本の各ページの写真を選択し、写真表示位置に対応するシールを選択された写真の背面等に貼着し、写真と共に表記される文章を創作して当該注文用紙に書き込み、写真と共に製本者に送ることにより、写真と文章のレイアウトを手軽に指定可能な製本システムが開示されている。
【発明の概要】
【発明が解決しようとする課題】
【０００６】
しかしながら、これまで行われてきたユーザによって蓄積された画像を選択し製本印刷を行う仕組みでは、ユーザが一枚一枚製本印刷に使用したいと希望する画像を選択してから製本印刷を行っていたことから、一人のユーザが複数種類の製本を行いたいときや、複数のユーザがそれぞれ異なる種類の製本を行いたいとき等に非常に手間がかかるという問題があった。
【０００７】
また、特許文献１には、簡単な手続きを行うのみで、注文者が主人公であって、注文者にとって独自の記念本を作成する技術が開示されているが、注文者が、複数種類の記念本を製作したい場合や、注文者が複数存在し、それぞれが異なる記念本を製作したい場合等、複数種類の製本を行いたいときに非常に手間がかかるという問題は依然として解消されていない。
【０００８】
そこで本発明は、上記従来の問題点に鑑みてなされたものであって、依頼者個々のデータに対応した製本印刷を手軽に行うことができる画像形成装置及び画像形成システムを提供することを目的とする。
【課題を解決するための手段】
【０００９】
上記課題を解決するため、請求項１に記載の本発明における画像形成装置は、印刷指示命令を送信する情報処理装置とネットワークを介して接続され、複数種類の画像データが予め蓄積された記憶手段と、前記印刷指示命令に基づいて前記画像データを印刷する画像印刷手段とを含む画像形成装置であって、前記情報処理装置によって前記複数種類の画像データのそれぞれの内容に関連して付加されたタグ情報を受信する受信手段と、前記タグ情報と前記複数種類の画像データとを互いに紐付けて保持する保持手段と、を備え、前記画像印刷手段は、前記情報処理装置から送信される前記印刷指示命令と、前記印刷指示命令と共に送信される前記タグ情報とに基づいて、前記タグ情報に紐付けられた前記複数種類の画像データを印刷することを特徴とする。
【発明の効果】
【００１０】
本発明によれば、製本対象の画像データに関連するタグ情報を解釈し、製本印刷に反映させる仕組みを画像形成システム内に搭載しているため、製本対象の画像データに関連するタグ情報を印刷コマンドと共にＭＦＰに送信することにより、ユーザ個々の画像データに対応した製本印刷を手軽に行うことができる画像形成装置及び画像形成システムを得ることができる。
【図面の簡単な説明】
【００１１】
【図１】本発明の実施形態に係る画像形成システムの概略構成について説明するシステム構成図である。
【図２】本発明の実施形態に係る画像形成装置（デジタル複合機）のソフトウェア構成について説明する概略ブロック図である。
【図３】本発明の実施形態に係る画像形成システムの動作について説明するフロー図である。
【図４】本発明の第１の実施形態に係る画像形成システムの動作について説明するフロー図である。
【図５】本発明の第２の実施形態に係る画像形成システムの動作について説明するフロー図である。
【図６】本発明の第３の実施形態に係る画像形成システムの動作について説明するフロー図である。
【図７】本発明の第４の実施形態に係る画像形成システムの動作について説明するフロー図である。
【図８】本発明の第５の実施形態に係る画像形成システムの動作について説明するフロー図である。
【図９】本発明の第６の実施形態に係る画像形成システムの動作について説明するフロー図である。
【図１０】本発明の第７の実施形態に係る画像形成システムの動作について説明するフロー図である。
【図１１】本発明の実施形態に係る画像形成装置の（ａ）ハードディスクドライブ（ＨＤＤ）に予め蓄積されている画像データファイルの一覧を示す図、（ｂ）画像データファイルに対して人物名（タグ情報）を記載した一覧を示す図である。
【図１２】本発明の実施形態に係る画像形成装置に対して製本印刷コマンドと共に送信される個人情報ファイルの内容を示す図である。
【発明を実施するための形態】
【００１２】
次に、本発明を実施するための形態について図面を参照して詳細に説明する。なお、各図中、同一又は相当する部分には同一の符号を付しており、その重複説明は適宜に簡略化乃至省略する。
【００１３】
本発明は、画像形成システムを利用するユーザが、ＭＦＰ内のＨＤＤ（Hard Disk Drive）内に予め蓄積されている画像と個人情報との紐付けを行うことにより、製本印刷を行う場合に、蓄積されている画像等の製本に関する情報が格納されたデータファイルを、当該データファイルと関連するタグ情報と紐付けて保存し、製本依頼と共にＭＦＰに送信されるタグ情報に基づいて当該紐付けされたデータファイルを検索することにより、製本印刷を実行することが特徴となっている。この本発明の特徴について、以下の図面を用いて詳細に解説する。
【００１４】
最初に、本発明の実施形態に係る画像形成システムについて説明する。図１は、本発明の実施形態に係る画像形成システムの構成について説明する概略ブロック図である。図１において、画像データを印刷する印刷手段を有するＭＦＰ１００は、複数の画像データが格納されているＨＤＤ１２０を内蔵している。
【００１５】
一方、ＭＦＰ１００に対して印刷指示コマンドを送信するパーソナルコンピュータ（情報処理装置）ＰＣ（Personal Computer）２００は、ユーザによって操作され、印刷指示コマンドが送信されると、ＭＦＰ１００の印刷手段を駆動するプためのプリンタドライバ２１０を内蔵している。
【００１６】
そして、ＰＣ２００とＭＦＰ１００とは、ネットワーク（ＮＷ：Network）３００を介して互いに接続されている。なお、このネットワーク（ＮＷ）３００は、如何なる形態、方式の通信網であっても良いことは勿論のことである。
【００１７】
次に、本発明の実施形態に係る画像形成装置（ＭＦＰ）について説明する。図２は、本発明の実施形態に係るＭＦＰのソフトウェア構成について説明する概略ブロック図である。図２において、ＭＦＰ１００のソフトウェア構成は、ユーザインタフェース層１０１、コントローラ層１０２、アプリケーション層１０３、デバイス層１０４、及びクロスカット層１０５で構成されている。
【００１８】
ユーザインタフェース層１０１は、機器外部からの指示を受け付けるために用いられ、通信サーバ１０６及びローカルユーザインタフェース（ＵＩ：User Interface）１０７とから成り、通信サーバ１０６は、ネットワーク（ＮＷ）３００を経由して指示を受け付けるブロックであり、ローカルＵＩ１０７は、機器に付属されている操作部の操作による指示を受け付けるブロックである。
【００１９】
コントローラ層１０２は、ユーザインタフェース層１０１からの指示を格納し、ユーザの要求にしたがって適切なアプリケーションの選択を行うために用いられ、パラメータ１０８、及びアクティビティ１０９から成る。パラメータ１０８は、ユーザからの要求を一旦格納するためのブロックであり、アクティビティ１０９は、パラメータ１０８に格納された値を元に、適切なアプリケーションを選択するためのブロックである。
【００２０】
アプリケーション層１０３は、ユーザからの指示を実現するための機能群であり、図２には、一例として、入力処理１１０、加工処理１１１、出力処理１１２、保管処理１１３、及びデータ送受信１１４が図示されているが、ＭＦＰ１００のユーザによっては、その他の機能が追加される場合もある。アプリケーション層１０３では、アクティビティ１０９からの要求を、上記の各処理の組み合わせによって実現するために、各機能ブロック毎の処理が行われる。
【００２１】
デバイス層１０４は、アプリケーション層１０３の各機能ブロック毎の処理を実際に行うために必要なハードウェアの制御コンポーネント群である。ＭＦＰ１００によっては、ネットワーク（ＮＷ）３００や電話回線、スキャナ等、接続されているデバイスの制御を行う。デバイス層１０４は、ユーザの設定情報や印刷により複製された情報を一時的に格納するためのハードディスク等が含まれている。
【００２２】
クロスカット層１０５は、全てのブロック層から共通に使用される機能ブロックである。図２には、一例として履歴１１６、アクセス制御１１７、及び課金１１８が図示されている。例えば、課金１１８は、課金による制限を受ける全てのブロック層からアクセスされ、課金情報を元に処理を行う。
【００２３】
次に、本発明の実施形態に係る画像形成システムの動作について説明する。図３は、本発明の実施形態に係る画像形成システムの動作について説明するフロー図である。図３において、まず、ＭＦＰ１００は、内蔵するＨＤＤ１２０に蓄積されている画像一覧（画像データファイル．ｘｌｓ）を、ＰＣ２００のユーザにエクスポートする（ステップ（以下、「Ｓ」という。）３０１）。
【００２４】
ここで、ＭＦＰ１００に内蔵されているＨＤＤ１２０に蓄積されている画像一覧について図１１（ａ）を用いて説明する。図１１（ａ）は、本発明の実施形態に係るＭＦＰ１００のＨＤＤ１２０に予め蓄積されている画像データファイルの一覧を示す図である。図１１（ａ）に示すように、ＨＤＤ１２０には、複数種類の画像データが予め蓄積されており、各画像データには、タグ（１）から（５）欄が設けられており、ここに、当該画像データに関連する付加情報（タグ情報）を付加することができる。
【００２５】
次に、ＰＣ２００のユーザは、受け取った画像一覧（画像データファイル．ｘｌｓ）に対して、当該画像データに掲載されている人物名を付加情報（タグ情報）としてタグ（１）から（５）欄に記載する（Ｓ３０２）。ここで、画像データのそれぞれに対して人物名が付加される点について図１１（ｂ）を用いて説明する。図１１（ｂ）は、画像データファイルに対して人物名を付加情報（タグ情報）として記載した一覧を示す図である。
【００２６】
図１１（ｂ）に示すように、画像データのそれぞれに対して、関連する人物名がタグ（１）から（５）欄に記載される。画像データによっては、関連する人物名（タグ情報）が一人の物もあれば複数人の物も存在する。そして、ＰＣ２００のユーザは、ＭＦＰ１００に対して当該付加情報（タグ情報）が付加された画像一覧（画像データファイル．ｘｌｓ）を送り返す（Ｓ３０３）。最後に、ＭＦＰ１００は、受信した画像一覧（画像データファイル．ｘｌｓ）を内部管理し保持する（Ｓ３０４）。
【００２７】
このように、画像生成システムを利用する場合には、本システムを利用する前準備として、まず始めに、ＰＣ２００が、ＨＤＤ１２０内に予め蓄積されている画像の一覧（図１１（ａ））をデータ送受信１１４(図１)を通して取得する。続いて、取得した画像一覧において、一枚一枚の画像に掲載されている人物名（タグ情報）を画像データファイルに対して記載し(図１１（ｂ）)、ＰＣ２００からＭＦＰ１００に対して送信する。
【００２８】
ＭＦＰ１００は、受け取った画像データファイルを元に情報を更新し、ＨＤＤ１２０内に蓄積されている画像と掲載されている人物名（タグ情報）の紐付けを行い、ＨＤＤ１２０内に蓄積される画像情報として保持するのである。
【００２９】
次に、本発明の第１の実施形態に係る画像形成システムの動作について説明する。図４は、本発明の第１の実施形態に係る画像形成システムの動作について説明するフロー図である。図４において、本システムを用いた製本印刷を行う場合、ＰＣ２００では、ＭＦＰ１００に対して製本印刷コマンドと共に送信される個人情報ファイル（図１２）における検索列（Ｎ）に初期値“１”が設定される（Ｓ４０１）。図１２は、本発明の実施形態に係る画像形成装置に対して製本印刷コマンドと共に送信される個人情報ファイルの内容を示す図である。
【００３０】
次に、ＭＦＰ１００において、ＰＣ２００から送信される印刷指示が製本印刷コマンドであるか否かが判断される（Ｓ４０２）。印刷指示が製本印刷指示でない場合（Ｓ４０２：Ｎｏ）は、Ｓ４０８の処理へ移行し、所謂通常の印刷を実施して処理を終了する。一方、ＰＣ２００から送信される印刷コマンドが製本印刷処理である場合（Ｓ４０２：Ｙｅｓ）は、Ｓ４０３の処理へ移行し、ＰＣ２００において図１２に示す個人情報ファイルの有無が判断される。
【００３１】
Ｓ４０３の処理において、図１２に示す個人情報ファイルがない場合（Ｓ４０３：Ｎｏ）は、Ｓ４０９へ移行し、通常の製本印刷を実施して処理を終了する。他方、Ｓ４０３の処理において、図１２に示す個人情報ファイルが存在する場合（Ｓ４０３：Ｙｅｓ）は、Ｓ４０４の処理へ移行し、ＰＣ２００において図１２に示す個人情報ファイルのＮ列目に、製本印刷の対象となる人物名が記載されているか否かが判断される。
【００３２】
Ｓ４０４の処理において、製本印刷の対象となる人物名が図１２に示す個人情報ファイルのＮ列目に記載がある場合（Ｓ４０４：Ｙｅｓ）は、Ｓ４０５の処理へ移行し、ＰＣ２００は、図２に示す個人情報ファイルのＮ列目に記載の名前で、ＭＦＰ１００内の画像を検索する。
【００３３】
続いてＳ４０６の処理において、ＰＣ２００によりＭＦＰ１００内の画像検索が終了したか否かが判断され、ＭＦＰ１００内の画像検索が終了していないと判断された場合（Ｓ４０６：Ｎｏ）は、Ｓ４０５の処理へ戻る。他方、ＰＣ２００によりＭＦＰ１００内の画像検索が終了したと判断された場合（Ｓ４０６：Ｙｅｓ）には、Ｓ４０７の処理へ移行する。
【００３４】
Ｓ４０７の処理では、図１２に示す個人情報ファイルのＮ列目をインクリメントし、Ｓ４０４の処理へ移行し、再度、製本印刷の対象となる人物名が図１２に示す個人情報ファイルのＮ＋１列目に記載があるか否かが判断され、Ｓ４０５→Ｓ４０６→Ｓ４０７→Ｓ４０４の各処理を経由することにより、図１２に示す個人情報ファイルのすべての列に記載されている人物名の画像が検索されていく。
【００３５】
そして、図１２に示す個人情報ファイルのＮ列目、Ｎ＋１列目、Ｎ＋２列目、・・・、と順にインクリメントし、図１２に示す個人情報ファイルのすべての列を検索し終えると、Ｓ４０４の処理は“Ｎｏ”となるので、Ｓ４１０の処理へ移行し、図１２に示す個人情報ファイルのすべての人物名に対する画像を、ＰＣ２００においてサムネイルを取得してプレビュー表示し（Ｓ４１０）、ユーザによって選択された画像を元にＭＦＰ１００により製本印刷が実施される（Ｓ４１１）。
【００３６】
このように、ユーザはＰＣ２００上からプリンタドライバ２１０を通してＨＤＤ１２０内に蓄積されている画像のうち、どの人物の画像を印刷に利用するかを記載した図１２に示す個人情報ファイル（個人情報．ｘｌｓ）を製本印刷コマンドと共に送る必要がある。
【００３７】
ＭＦＰ１００は、製本印刷コマンドと共に図１２に示す個人情報ファイルを、データ送受信１１４(図１)を通して受信すると、図１２に示す個人情報ファイル内の、予め決められた列を上から順番に検索していき、図１２に示す個人情報ファイルに記載されている人物名と、ＨＤＤ１２０内に蓄積されている画像データに紐付けて保存されている人物名（図１１（ｂ））との比較を行い、画像データの検索を行う。
【００３８】
これを図１２に示す個人情報ファイルにおける末尾まで行い、検索の結果得られた画像データを製本印刷に利用する。なお、印刷を実行する際には、仕上がりイメージを確認するためのプレビュー画像をデータ送受信１１４(図１)を通してＰＣ２００に再度送り返すことにより、ＰＣ２００上でプレビュー表示を実施することが可能であり、ユーザが自分の目で確認することができる。
【００３９】
次に、本発明の第２の実施形態に係る画像形成システムの動作について説明する。図５は、本発明の第２の実施形態に係る画像形成システムの動作について説明するフロー図である。図５において、本システムを用いた製本印刷を行う場合、Ｓ５０１からＳ５０７までの処理、及び５０８、Ｓ５０９の各処理は、第１の実施形態に係る図４におけるＳ４０１からＳ４０７までの処理、及びＳ４０８、Ｓ４０９の各処理と同一であるので、これらの処理についての説明は省略する。
【００４０】
図５のＳ５０４の処理において、図１２に示す個人情報ファイルのＮ列目、Ｎ＋１列目、Ｎ＋２列目、・・・、と順にインクリメントし、図１２に示す個人情報ファイルのすべての列を検索し、製本印刷の対象となるすべての人物名を検索した結果、Ｓ５０４の処理は“Ｎｏ”となるので、Ｓ５１０の処理へ移行し、図１２に示す個人ファイルの中の個人情報の印刷を実施するか否かが判断される。Ｓ５１０の処理において、個人情報の印刷を実施しない場合（Ｓ５１０：Ｎｏ）は、Ｓ５１２の処理へ移行し、Ｓ５１２及びＳ５１３の処理、すなわち、上述したＳ４１０及びＳ４１１の処理を行う。
【００４１】
他方、Ｓ５１０の処理において、個人情報の印刷を実施する場合（Ｓ５１０：Ｙｅｓ）は、Ｓ５１１の処理へ移行し、製本する本の表紙の裏面に個人情報が印刷され、Ｓ５１２及びＳ５１３の処理が実行される。
【００４２】
本実施形態では、さらに、印刷する人物の個人情報の印刷も行いたい場合は、図１２に示す個人情報ファイルの中の“個人情報の印刷を行う”の欄に予め○印を記入しておき、当該○印が記入された人物の名前や住所、趣味等を記載した個人情報ファイルをＭＦＰ１００に対して送信することにより実現が可能となる。
【００４３】
このように、本実施形態では、個人情報ファイルに、人物名情報だけではなく、生年月日や趣味等の個々の個人情報を付加することで、それらの情報を個々の製本時に所定の場所に印字することにより、個々の本に対して個別に印刷内容を指示する必要がなく、各人の情報をそれぞれの本において自動的に印刷することができる。
【００４４】
次に、本発明の第３の実施形態に係る画像形成システムの動作について説明する。図６は、本発明の第３の実施形態に係る画像形成システムの動作について説明するフロー図である。図６において、本システムを用いた製本印刷を行う場合、Ｓ６０１からＳ６０７までの処理、及び６０８、Ｓ６０９の各処理は、第１の実施形態に係る図４におけるＳ４０１からＳ４０７までの処理、及びＳ４０８、Ｓ４０９の各処理と同一であり、Ｓ６１０、Ｓ６１１、Ｓ６１４、及びＳ６１５の各処理は、第２の実施形態に係る図５におけるＳ５１０、Ｓ５１１、Ｓ５１２、及びＳ５１３の各処理と同一であるので、これらの処理についての説明は省略する。
【００４５】
図６のＳ６１１の処理において、製本する本の表紙の裏面に個人情報が印刷されると、Ｓ６１２の処理へ移行し、図１２に示す個人情報ファイルにフレームの指定があるか否かが判断される。個人情報ファイルにフレームの指定がある場合（Ｓ６１２：Ｙｅｓ）は、Ｓ６１３の処理へ移行し、製本する本の全ページに指定されたフレームが印刷され、Ｓ６１４、Ｓ６１５の処理が実行される。
【００４６】
他方、個人情報ファイルにフレームの指定がない場合（Ｓ６１２：Ｎｏ）は、フレームの印刷がなされることなく、Ｓ６１４、Ｓ６１５の処理が実行される。
【００４７】
本実施形態では、製本印刷を行う各ページに対してフレームを付けた印刷を行いたい場合は、図１２に示す個人情報ファイルの中に“フレームを付けた印刷を行う”旨の設定を予めしておき、印刷したいフレームのサンプルを付加した個人情報ファイルをＭＦＰ１００に対して送信することにより実現が可能となる。
【００４８】
このように、本実施形態では、各ページに付ける写真フレームとして利用したい画像をＭＦＰ１００内に保持する仕組みと、個人情報ファイルに写真フレームデータのファイル名を記載し、ユーザが好きな写真フレームを使用して製本印刷を行うことにより、個々の本に対して個別に印刷フレームを指示する必要がなく、各人の希望に沿ったフレームをそれぞれの本に自動的に印刷することができる。
【００４９】
次に、本発明の第４の実施形態に係る画像形成システムの動作について説明する。図７は、本発明の第４の実施形態に係る画像形成システムの動作について説明するフロー図である。図７において、本システムを用いた製本印刷を行う場合、Ｓ７０１からＳ７０７までの処理、及び７０８、Ｓ７０９の各処理は、第１の実施形態に係る図４におけるＳ４０１からＳ４０７までの処理、及びＳ４０８、Ｓ４０９の各処理と同一であり、Ｓ７１０、Ｓ７１１、Ｓ７１４からＳ７１７の各処理は、第３の実施形態に係る図６におけるＳ６１０からＳ６１５の各処理と同一であるので、これらの処理についての説明は省略する。
【００５０】
図７のＳ７１２の処理において、図１２に示す個人情報ファイルに表紙データの指定があるか否かが判断される。個人情報ファイルに表紙データの指定がある場合（Ｓ７１２：Ｙｅｓ）は、Ｓ７１３の処理へ移行し、製本する本の表紙ページに指定された表紙データが印刷され、Ｓ７１４の処理へ移行する。
【００５１】
他方、個人情報に表紙データの指定がない場合（Ｓ７１２：Ｎｏ）は、表紙データの印刷がなされることなく、Ｓ７１４以降の処理が実行される。
【００５２】
本実施形態では、さらに、ユーザが特別な表紙や裏表紙等を付けたい場合は、図１２に示す個人情報ファイルの中に“表紙を付けた印刷を行う”旨の設定を予めしておき、使用したい表紙のサンプルを付加した個人情報ファイルをＭＦＰ１００に対して送信することにより実現が可能となる。
【００５３】
このように、本実施形態では、本の表紙として使用したい画像をＭＦＰ１００内に保持する仕組みと、個人情報ファイルに表紙データのファイル名を記載し、ユーザが個々で作成した表紙データを使用して製本印刷を行うことにより、個々の本に対して個別に表紙内容を指示する必要がなく、各人の希望に沿った表紙をそれぞれの本に自動的に印刷することができる。
【００５４】
次に、本発明の第５の実施形態に係る画像形成システムの動作について説明する。図８は、本発明の第５の実施形態に係る画像形成システムの動作について説明するフロー図である。図８において、本システムを用いた製本印刷を行う場合、Ｓ８０１からＳ８０７までの処理、及び８０８、Ｓ８０９の各処理は、第１の実施形態に係る図４におけるＳ４０１からＳ４０７までの処理、及びＳ４０８、Ｓ４０９の各処理と同一であり、Ｓ８１１からＳ８１８までの処理は、第４の実施形態に係る図７におけるＳ７１０からＳ７１７までの処理と同一であるので、これらの処理についての説明は省略する。
【００５５】
図８のＳ８１０の処理において、図１２に示す個人情報ファイルのユーザ数毎の画像枚数による間引きが実施される。すなわち、図１２に示す個人情報ファイルから、複数の人物名で検索した結果、検索により得られた画像の枚数について個々の人物によって大きな差異が存在する場合は、適当な閾値を設けることにより、多く得られた特定の人物の画像に対して間引きを行い、全体的にバランスの取れた製本印刷を行うこととしている。この間引き処理を終えると、Ｓ８１１以降の処理を実行する。
【００５６】
このように、本実施形態では、写真選択の仕組みに追加して、図１２に示す個人情報ファイルの人物名それぞれの枚数を予め算出する仕組みと、その算出枚数の平均値等から適当な閾値を設ける仕組みと、その閾値に合わせて、印刷に使用する画像数を調整する仕組みを備えることにより、個々の写真データを調べて使用する写真データを指示する必要がなく、自動的に全員の本の写真枚数のバランスを取ることができる。
【００５７】
次に、本発明の第６の実施形態に係る画像形成システムの動作について説明する。図９は、本発明の第６の実施形態に係る画像形成システムの動作について説明するフロー図である。図９において、本システムを用いた製本印刷を行う場合、Ｓ９０１からＳ９０７までの処理、及び９０８、Ｓ９０９の各処理は、第１の実施形態に係る図４におけるＳ４０１からＳ４０７までの処理、及びＳ４０８、Ｓ４０９の各処理と同一であり、Ｓ９１０からＳ９１６までの処理は、第５の実施形態に係る図８におけるＳ８１０からＳ８１６までの処理と同一であるので、これらの処理についての説明は省略する。
【００５８】
図９のＳ９１７の処理において、写真内に掲載されている人数に伴うバランス印刷を実行するか否かが判断される。バランス印刷を実施する場合（Ｓ９１７：Ｙｅｓ）は、Ｓ９１８へ移行し、サムネイルを取得してプレビュー表示を行い、Ｓ９１９の処理において、掲載人数に伴う写真サイズを変更して製本印刷が実行される。
【００５９】
他方、バランス印刷を実施しない場合（Ｓ９１７：Ｎｏ）は、Ｓ９２０へ移行し、サムネイルを取得してプレビュー表示を行い、Ｓ９２１の処理において、選択された画像を元に製本印刷が実行される。
【００６０】
本実施形態では、画像に掲載されている人数の多寡により、用紙に配置する画像のサイズ等を自由に調節することにより、メリハリのある製本印刷を行うことも可能であり、各画像に掲載されている人数については、図１１（ａ）に示す画像データファイルを作成する際にユーザが入力した人数により判断が可能となる。
【００６１】
このように、本実施形態では、さらに画像データファイルの搭載人数を基に写真のサイズを決定する仕組みを備え、大人数の写真は大きく印刷する等、メリハリのある本を作成する仕組みを備えたことにより、個々の写真データを調べてレイアウトを指示する必要がなく、自動的に全体的な写真レイアウトを整えることができる。
【００６２】
次に、本発明の第７の実施形態に係る画像形成システムの動作について説明する。図１０は、本発明の第７の実施形態に係る画像形成システムの動作について説明するフロー図である。図１０において、本システムを用いた製本印刷を行う場合、Ｓ２０１からＳ２０４までの処理、及びＳ２０６からＳ２０９までの処理は、第１の実施形態に係る図４におけるＳ４０１からＳ４０４までの処理、及びＳ４０６からＳ４０９までの処理と同一であり、Ｓ２１０からＳ２２１までの処理は、第６の実施形態に係る図９におけるＳ９１０からＳ９２１までの処理と同一であるので、これらの処理についての説明は省略する。
【００６３】
図１０のＳ２０５の処理において、ＰＣ２００は、図２に示す個人情報ファイルのＮ列目に記載の人物名と顔写真から、ＭＦＰ１００内の画像を検索する。すなわち、本実施形態では、本画像形成システムを利用する際に、ＨＤＤ１２０内に蓄積されている画像と人物名とが紐付けられた図１１（ｂ）に示す画像データファイルを予め作成することなく、図１２に示す個人情報ファイルの中に顔写真のサンプル画像のファイル名を付加しておき、ＭＦＰ１００内で当該サンプル画像のファイル名とＨＤＤ１００内の図１１（ａ）に示す画像とを照合することにより、当該サンプル画像内に掲載されている人物を自動的に検索し、製本印刷することが可能となる。
【００６４】
このように、本実施形態では、図１２に示す個人情報ファイルに顔写真のサンプル画像のファイル名を記載すると共に、当該顔写真のサンプル画像をＭＦＰ１００内に保持する仕組みを備えることにより、図１１（ａ）に示す画像データファイルに図１１（ｂ）に示すような掲載人物名情報が記載されていなくても、図１１（ａ）に示す画像データと、顔写真のサンプル画像との合致を検出する仕組みを備え、自動的にユーザの搭載写真を選択して製本印刷を行うことにより、個々の写真データに対して個別に掲載人物名を指定する必要がなく、自動的に顔を判別することにより写真データ情報を入力することなく、個別に本人掲載の写真を集めた本を作成することができる。
【００６５】
以上説明したように、本発明では、画像形成システムを利用するユーザが、ＭＦＰ内のＨＤＤ内に予め蓄積されている画像と個人情報との紐付けを行うことにより、製本印刷を行う場合に、蓄積されている画像等の製本に関する情報が格納されたデータファイルを、当該データファイルと関連するタグ情報と紐付けて保存し、製本依頼と共にＭＦＰに送信されるタグ情報に基づいて当該紐付けされたデータファイルを検索することにより製本印刷を実行するので、特に、ユーザ個々のデータに対応した製本印刷を手軽に行うことができる画像形成装置及び画像形成システムを得ることが可能となる。
【００６６】
なお、上記実施形態において説明してきた各動作をそれぞれ実行するために、画像形成システムを構成する情報処理装置（ＰＣ）及び画像形成装置（ＭＦＰ）の各動作を制御する制御部（図示せず）が、ＲＯＭ（Read Only Memory）、ＲＡＭ（Random Access Memory）等から構成されるメモリ（図示せず）に格納されたコンピュータにより読み取り可能なプログラムに基づいて実行するように構成されていることはいうまでもない。
【００６７】
以上、本発明の好適な実施形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００６８】
１００    ＭＦＰ（画像形成装置）
１０１    ユーザインタフェース層
１０２    コントローラ層
１０３    アプリケーション層
１０４    デバイス層
１０５    クロスカット
１０６    通信サーバ
１０７    ローカルユーザインタフェース（ＵＩ）
１０８    パラメータ
１０９    アクティビティ
１１０    入力処理
１１１    加工処理
１１２    出力処理
１１３    保管処理
１１４    データ送受信
１１５    デバイス
１１６    履歴
１１７    アクセス制御
１１８    課金
１２０    ハードディスク（ＨＤＤ）
２００    パーソナルコンピュータ（ＰＣ）
２１０    プリンタドライバ
３００    ネットワーク（ＮＷ）
【先行技術文献】
【特許文献】
【００６９】
【特許文献１】特開２００５−２８４８６６号公報
【図１】
2013084172.tif 000003
【図２】
2013084172.tif 000004
【図３】
2013084172.tif 000005
【図４】
2013084172.tif 000006
【図５】
2013084172.tif 000007
【図６】
2013084172.tif 000008
【図７】
2013084172.tif 000009
【図８】
2013084172.tif 000010
【図９】
2013084172.tif 000011
【図１０】
2013084172.tif 000012
【図１１】
2013084172.tif 000013
【図１２】
2013084172.tif 000014